(57)【要約】【課題】本発明の課題は、容器の容量が比較的大きくなっても、比較的均一に吸着剤の再生を行うことができる吸着剤再生器を提供することである。【解決手段】本発明に係る吸着剤再生器１００は、容器１１０、仕切板１９０、主管１２０および分岐管１４０，１６０を備える。容器には、活性炭等の吸着剤が充填される。仕切板は、容器の空間の一部を複数の空間に分割する。主管は、容器に挿通されている。この主管は、吸着剤再生媒体を容器に導く役目を担っている。分岐管は、主管から分岐して、仕切板で分割された複数の空間それぞれに延びている。【選択図】図１
2019155302.tif 000002
【特許請求の範囲】
【請求項１】
容器と、
前記容器の空間の一部を複数の空間に分割する仕切板と、
前記容器に挿通される主管と、
前記主管から分岐して前記複数の空間それぞれに延びる分岐管と
を備える、吸着剤再生器。
【請求項２】
前記分岐管は、上下方向に延びる上下方向部位を少なくとも１つ有し、
少なくとも１つの前記上下方向部位には、複数の第１貫通口が形成されており、
前記複数の第１貫通口の間隔は、前記分岐管の下端側に向かうに従って広くなっている
請求項１に記載の吸着剤再生器。
【請求項３】
前記分岐管は、水平方向に延びる水平方向部位を少なくとも１つ有し、
少なくとも１つの前記水平方向部位には、少なくとも一つの第２貫通口が形成されており、
前記第２貫通口は、斜め下方向の部位に形成されている
請求項１または２に記載の吸着剤再生器。
【請求項４】
前記主管の外側から延び、前記分岐管に結合する支持部をさらに備える
請求項１から３のいずれか１項に記載の吸着剤再生器。
【請求項５】
前記主管の下方に延び、下端が閉塞される延長管をさらに備え、
前記仕切板は、前記延長管の側壁から外方に向かって延びている
請求項１から４のいずれか１項に記載の吸着剤再生器。
【請求項６】
前記分岐管は、接続部位を介して前記主管と接続され、
前記接続部位は、半球形状部位を含んでおり、
前記分岐管は、前記半球形状部位から延びている
請求項１から５のいずれか１項に記載の吸着剤再生器。
【請求項７】
前記容器の下部に配設されるガスノズルをさらに備える
請求項１から６のいずれか１項に記載の吸着剤再生器。
【請求項８】
前記容器の上部から延びる上側排出管と、
前記容器の下部から延びる下側排出管と
をさらに備え、
前記上側排出管は、前記下側排出管に合流しており、
前記上側排出管には、第１開閉弁が配設されており、
前記下側排出管のうち、前記上側排出管との合流点までの部位に第２開閉弁が配設されている
請求項１から７のいずれか１項に記載の吸着剤再生器。
【請求項９】
前記容器には、異形の吸着剤の混合物が充填されている
請求項１から８のいずれか１項に記載の吸着剤再生器。
【発明の詳細な説明】
【技術分野】
【０００１】
本発明は、活性炭等の吸着剤を再生することができる吸着剤再生器に関する。
【背景技術】
【０００２】
過去に「吸着剤が充填された容器に過熱水蒸気を供給して、その吸着剤に付着した有機化合物等を脱着させて吸着剤を再生する機能を有する吸着剤再生機能付きの水処理システム」が提案されている（例えば、特開２０１７−２０５６８４号公報参照）。なお、このような水処理システムは吸着剤再生器としても利用することができる。
【先行技術文献】
【特許文献】
【０００３】
【特許文献１】特開２０１７−２０５６８４号公報
【発明の概要】
【発明が解決しようとする課題】
【０００４】
ところで、近年、水処理量の増大に伴って、吸着剤充填容器の高容量化が求められている。しかし、従前の吸着剤充填容器には真ん中に１本の加熱水蒸気導入管が挿通されているだけであって、単純に吸着剤充填容器の容量を大きくすると過熱水蒸気が同容器の壁まで到達せず、同容器の壁側に存在する吸着剤の再生が十分でなくなるおそれがある。
【０００５】
本発明の課題は、容器の容量が比較的大きくなっても、比較的均一に吸着剤の再生を行うことができる吸着剤再生器を提供することである。
【課題を解決するための手段】
【０００６】
本発明の第１局面に係る吸着剤再生器は、容器、仕切板、主管および分岐管を備える。なお、この吸着剤再生器には、流体（液体および気体を含む。）に対して浄化処理等を施す構造が付加されていてもよく、かかる場合、この装置は、水処理システム、水処理装置としても機能することになる。）。容器には、活性炭、ゼオライト、イオン交換樹脂等の吸着剤が充填される。仕切板は、容器の空間の一部を複数の空間に分割する。なお、容器が筒状の胴部を有する場合、仕切板は、胴部の筒軸を中心として胴部の壁に向かって放射状に延びることが好ましい。なお、かかる場合、仕切板は筒軸から胴部の壁に向かって放射状に延びていてもよいし、筒軸から離れた位置から胴部の壁に向かって放射状に延びていてもよい。主管は、容器に挿通されている。なお、この主管は、吸着剤再生媒体（過熱水蒸気や加熱気体等）を容器に導く役目を担っている。分岐管は、主管から分岐して、仕切板で分割された複数の空間それぞれに延びている。すなわち、この分岐管には吸着剤再生媒体が通る。
【０００７】
上述の通り、この吸着剤再生器では、容器の空間の一部が仕切板によって複数の空間に分割されており、その分割された複数の空間に分岐管が延びている。このため、この吸着剤再生器では、容器の容量が大きくなっても、過熱水蒸気等の吸着剤再生媒体を比較的均一に吸着剤に到達させることができる。したがって、この吸着剤再生器では、比較的均一に吸着剤の再生を行うことができる。
【０００８】
本発明の第２局面に係る吸着剤再生器は上述の第１局面に係る吸着剤再生器であって、分岐管は、上下方向に延びる上下方向部位を少なくとも１つ有する。少なくとも１つの上下方向部位には、複数の第１貫通口が形成されている。そして、複数の第１貫通口の間隔は、分岐管の下端側に向かうに従って広くなっている。
【０００９】
上述の通り、この吸着剤再生器では、分岐管の上下方向部位に形成される複数の第１貫通口の間隔が、分岐管の下端側に向かうに従って広くなっている。本願発明者らは、このように第１貫通口の間隔を設定したところ、第１貫通口を等間隔に設定するよりも、吸着剤に対して上下方向にも比較的均一に吸着剤再生媒体を供給することができることが明らかとなった。すなわち、この吸着剤再生器では、より均一に吸着剤の再生を行うことができる。
【００１０】
本発明の第３局面に係る吸着剤再生器は上述の第１局面または第２局面に係る吸着剤再生器であって、分岐管は、水平方向に延びる水平方向部位を少なくとも１つ有する。少なくとも１つの水平方向部位には、少なくとも一つの第２貫通口が形成されている。そして、第２貫通口は、斜め下方向の部位に形成されている。なお、この第２貫通口は、斜め下方向に向くように形成されるのが好ましい。
【００１１】
上述の通り、この吸着剤再生器では、分岐管の水平方向部位に形成される第２貫通口が斜め下方向の部位に形成されている。このため、この吸着剤再生器では、上側に存在する吸着剤に対して直接的に吸着剤再生媒体を供給することができる。したがって、この吸着剤再生器では、上側に存在する吸着剤を有効に再生することができる。
【００１２】
本発明の第４局面に係る吸着剤再生器は、上述の第１局面から第３局面のいずれか一つの局面に係る吸着剤再生器であって、支持部をさらに備える。支持部は、主管の外側（外周面）から延び、分岐管に結合する。すなわち、この支持部は、分岐管を支持している。
【００１３】
上述の通り、この吸着剤再生器では、分岐管を支持するための支持部が主管の外周面から延びている。このため、この吸着剤再生器では、分岐管を強固に支えることができる。また、この支持部から高熱伝導材料（例えば、金属）から形成されている場合、主管に奪われる熱を、支持部を介して分岐管へ伝達することができる。したがって、この吸着剤再生器では、熱効率を高めることができる。
【００１４】
本発明の第５局面に係る吸着剤再生器は、上述の第１局面から第４局面のいずれか一つの局面に係る吸着剤再生器であって、延長管をさらに備える。延長管は、主管の下方に延びている。この延長管の下端は閉塞されている。そして、仕切板は、延長管の側壁から外方に向かって延びている。なお、延長管の側壁に貫通口を設けてもかまわないが、仕切板への伝熱を優先する場合や、できるだけ多くの吸着剤再生媒体を分岐管へ配分する場合は、延長管の側壁に貫通口を設けない方が好ましい。
【００１５】
上述の通り、この吸着剤再生器では、下端が閉塞される延長管の側壁から仕切板が外方に向かって延びている。このため、吸着剤再生器では、延長管を介して仕切板を熱することができる。したがって、この吸着剤再生器では、吸着剤の加熱効率を向上させることができる。
【００１６】
本発明の第６局面に係る吸着剤再生器は上述の第１局面から第５局面のいずれか一つの局面に係る吸着剤再生器であって、分岐管は、接続部位を介して主管と接続されている。接続部位は、半球形状部位を含んでいる。そして、分岐管は、半球形状部位から延びている。
【００１７】
上述の通り、この吸着剤再生器では、接続部位の半球形状部位から分岐管が延びている。このため、この吸着剤再生器では、主管から分岐管へ向かう吸着剤再生媒体の流れを良好なものとすることができる。
【００１８】
本発明の第７局面に係る吸着剤再生器は、上述の第１局面から第６局面のいずれか一つの局面に係る吸着剤再生器であって、ガスノズルをさらに備える。このガスノズルは、容器の下部に配設されている。
【００１９】
上述の通り、この吸着剤再生器では、容器の下部にガスノズルが配設されている。このため、この吸着剤再生器では、吸着剤の凝集等を防止することができる。なお、この吸着剤再生器に液体浄化構造が組み込まれている場合、容器内に液体が溜まった状態で、ガスノズルからガスを供給するとバブリングが生じ、効率的に吸着剤の凝集を防止することができる。
【００２０】
本発明の第８局面に係る吸着剤再生器は、上述の第１局面から第７局面のいずれか一つの局面に係る吸着剤再生器であって、上側排出管および下側排出管をさらに備える。上側排出管は、容器の上部から延びている。下側排出管は、容器の下部から延びている。そして、上側排出管は、下側排出管に合流している。また、上側排出管には、第１開閉弁が配設されている。下側排出管のうち、上側排出管との合流点までの部位に第２開閉弁が配設されている。
【００２１】
上述の通り、この吸着再生器では、上側排出管が下側排出管に合流しており、上側排出管に第１開閉弁が配設され、下側排出管のうち上側排出管との合流点までの部位に第２開閉弁が配設されている。このため、第１開閉弁を開とし、第２開閉弁を閉としたとき（以下、この状態を「第１開閉状態」という。）、分岐管から流れ出る吸着剤再生媒体を容器の上部に導くことができ、第１開閉弁を閉とし、第２開閉弁を開としたとき（以下、この状態を「第２開閉状態」という。）、分岐管から流れ出る吸着剤再生媒体を容器の下部に導くことができる。このため、この吸着再生器では、例えば、第１開閉状態と第２開閉状態を交互に切り換える等によって上部の吸着剤および下部の吸着剤を効率的に再生することができる。
【００２２】
本発明の第９局面に係る吸着剤再生器は上述の第１局面から第８局面のいずれか一つの局面に係る吸着剤再生器であって、容器には、異形の吸着剤の混合物が充填されている。なお、ここで、「異形の吸着剤の混合物」とは、形状が異なる吸着剤の混合物を意味する。このような混合物としては、例えば、粒状活性炭および針状（棒状）活性炭の混合物等が挙げられる。
【００２３】
上述の通り、この吸着剤再生器では、異形の吸着剤の混合物が充填されている。このため、この吸着剤再生器では、吸着剤間に隙間を形成することができ、延いては吸着剤再生媒体の流れを良好なものとすることができる。したがって、この吸着剤再生器では、効率的に吸着剤の再生処理を行うことができる。
【図面の簡単な説明】
【００２４】
【図１】本発明の実施の形態に係る吸着剤塔の概略構成を示す正面図である。なお、本図では、容器本体が切断された状態となっている。
【図２】本発明の実施の形態に係る吸着剤塔の概略構成を示す平面図である。なお、本図では、蓋部が外された状態となっている。
【図３】本発明の実施の形態に係る吸着剤塔の上部の拡大正面図である。なお、本図では、容器本体が切断された状態となっている。
【図４】本発明の実施の形態に係る吸着剤塔の第２分岐照射管の拡大正面図である。
【図５】変形例（Ａ）に係る吸着剤塔の下部の拡大正面図である。なお、本図では、容器本体が切断された状態となっている。
【図６】変形例（Ｂ）に係る水処理システムの簡易構成図である。なお、図中、実線矢印は被処理流体（例えば、浄化対象の水）の流れを示しており、破線矢印は吸着剤再生媒体（例えば、過熱水蒸気）の流れを示している。
【発明を実施するための形態】
【００２５】
本発明の実施の形態に係る吸着剤塔１００は、図１および図２に示されるように、主に、容器本体１１０、吸着剤再生媒体導入主管１２０、第１分岐基部１３０、第１分岐照射管１４０、第２分岐基部１５０、第２分岐照射管１６０、中央密閉管１７０、分岐照射管支持板１８０、仕切板１９０および被処理流体散布装置２００から成る。以下、これらの構成要素について詳述した後、この吸着剤塔を用いた流体浄化処理および吸着剤再生処理について詳述する。
【００２６】
（１）容器本体
容器本体１１０は、活性炭等の吸着剤を充填するものであって、図１に示されるように、主に、胴体部１１１、蓋部１１２、底部１１３、上側水平フランジ管部１１５、下側水平フランジ管部１１６、底側垂直フランジ管部１１７および本体支持部１１９から成っている。
【００２７】
胴体部１１１は、図１に示されるように、ステンレス合金等の金属で形成される円筒形の壁である。図１に示されるように、この胴体部１１１には、上述の上側水平フランジ管部１１５、下側水平フランジ管部１１６および本体支持部１１９が接合されている。
【００２８】
蓋部１１２は、図１に示されるように、ステンレス合金等の金属で形成されるドーム形の壁であって、胴体部１１１の上側を覆っている。図１に示されるように、この蓋部１１２の吸着剤再生媒体導入主管１２０および被処理流体散布装置２００が貫入されている。
【００２９】
底部１１３は、図１に示されるように、ステンレス合金等の金属で形成される逆ドーム形の壁であって、胴体部１１１の底側を覆っている。図１に示されるように、この底部１１３には、底側垂直フランジ管部１１７が接合されている。
【００３０】
上側水平フランジ管部１１５は、上述の通り、胴体部１１１の上側部位に接合されている。この上側水平フランジ管部１１５の内部通路は胴体部１１１の内部空間に連通している。なお、この上側水平フランジ管部１１５は、通常封止されているが、汚泥物の流入などによって吸着剤塔上部でその汚泥物が詰まる・硬化する等して、吸着剤が簡単に取り出せない状況となった場合等に開放される。そして、上側水平フランジ管部１１５が開放された状態で、作業担当者は、詰まりの原因を取り除いたり、下側水平フランジ管部１１６から吸着剤を取り出すことができるように上部の吸着剤に衝撃を与えて吸着剤を下に落としたりする。
【００３１】
下側水平フランジ管部１１６は、上述の通り、胴体部１１１の下側部位に接合されている。この下側水平フランジ管部１１６の内部通路は胴体部１１１の内部空間に連通している。なお、この下側水平フランジ管部１１６は、通常封止されているが、何らかのトラブルがあった際に開放され、吸着剤の取出し口として使用される。
【００３２】
底側垂直フランジ管部１１７は、上述の通り、底部１１３に接合されている。この底側垂直フランジ管部１１７の内部通路は、底部１１３の内部空間に連通している。
【００３３】
本体支持部１１９は、吸着剤塔１００を足場等に固定するための部位であって、図１に示されるように、胴体部１１１のうち、上側水平フランジ管部１１５と下側水平フランジ管部１１６との間の少し上側の部位に接合されている。
【００３４】
（２）吸着剤再生媒体導入主管
吸着剤再生媒体導入主管１２０は、過熱水蒸気等の吸着剤再生媒体を容器本体１１０の内部空間に導くためのものであって、図１に示される通り、蓋部１１２の中央に貫入されている。この吸着剤再生媒体導入主管１２０は、図１に示されるように上下方向に沿って延びている。
【００３５】
（３）第１分岐基部
第１分岐基部１３０は、吸着剤再生媒体導入主管１２０、第１分岐照射管１４０および中央密閉管１７０の接続・連通を媒介する部位であって、図１に示されるように、吸着剤再生媒体導入主管１２０の下端に配設されている。この第１分岐基部１３０の内部は空洞であり、吸着剤再生媒体導入主管１２０の内部通路と連通している。また、この第１分岐基部１３０は、図１に示されるように、上側の山型部位１３１と下側の半球形状部位１３２から形成されている。図１に示されるように、上側の山型部位１３１に吸着剤再生媒体導入主管１２０が接合されている。また、図１に示されるように、山型部位１３１と半球形状部位１３２との接合箇所から第１分岐照射管１４０が水平方向に向かって延びている。なお、第１分岐基部１３０の内部空間は第１分岐照射管１４０の内部通路と連通している。さらに、図１に示されるように、半球形状部位１３２の下端から下方に向かって中央密閉管１７０が延びている。後述する通り、中央密閉管１７０は小径管１７１、大径管１７２および下端閉塞部品１７３から形成されており（図１参照）、図１に示されるように、半球形状部位１３２には小径管１７１が接合されている（すなわち、大径管１７２は、小径管１７１を介して半球形状部位１３２に接合されている。）。また、第１分岐基部１３０の内部空間は中央密閉管１７０の内部通路と連通している。
【００３６】
（４）第１分岐照射管
第１分岐照射管１４０は、図１に示されるように、略鉤型の円筒管であって、主に、水平方向部位１４１、垂直方向部位１４２およびエルボー部位１４３から形成されている。水平方向部位１４１は、第１分岐基部１３０から水平方向に沿って延びている。垂直方向部位１４２は、エルボー部位１４３の先端から下方に向かって延びている。エルボー部位１４３は、円弧状の円筒管部分であって、水平方向部位１４１と垂直方向部位１４２との間に配設されている。なお、ここで、水平方向部位１４１、垂直方向部位１４２およびエルボー部位１４３は全て内部通路を有しており、これらの内部通路は全て連通している。なお、本実施の形態に係る吸着剤塔１００では、平面視において第１分岐照射管１４０は第１分岐基部１３０から放射状に５本延びており、隣り合う第１分岐照射管１４０同士は７２°の角度をなしている。図３に示されるように、この第１分岐照射管１４０の水平方向部位１４１の両側の斜め下方向の部位に第１照射口ＯＰ１が形成されている。なお、この第１照射口ＯＰ１は、図３に示される通り、等間隔に３つ形成されている。なお、水蒸気等の吸着剤再生媒体が第１分岐照射管１４０を通過する際、一部の吸着剤再生媒体が第１照射口ＯＰ１から放出されることになる。
【００３７】
（５）第２分岐基部
第２分岐基部１５０は、第１分岐照射管１４０および第２分岐照射管１６０の接続・連通を媒介する部位であって、図１に示されるように、第１分岐照射管１４０の垂直方向部位１４２の下端に配設されている。この第２分岐基部１５０の内部は空洞であり第１分岐照射管１４０および第２分岐照射管１６０の内部通路と連通している。また、この第２分岐基部１５０は、円筒形状を呈している。また、図１に示されるように、第２分岐基部１５０の側面から第２分岐照射管１６０が延びている。
【００３８】
（６）第２分岐照射管
第２分岐照射管１６０は、図１に示されるように略鉤型の円筒管であって、主に、水平方向部位１６１、垂直方向部位１６２およびエルボー部位１６３から形成されている。水平方向部位１６１は、第２分岐基部１５０から水平方向に沿って延びている。垂直方向部位１６２は、エルボー部位１６３の先端から下方に向かって延びている。エルボー部位１６３は、円弧状の円筒管部分であって、水平方向部位１６１と垂直方向部位１６２との間に配設されている。なお、ここで、水平方向部位１６１、垂直方向部位１６２およびエルボー部位１６３は全て内部通路を有しており、これらの内部通路は全て連通している。なお、本実施の形態に係る吸着剤塔１００では、平面視において第２分岐照射管１６０は第２分岐基部１５０から放射状に２本延びており、隣り合う第２分岐照射管１６０同士は１２０°の角度をなしている。図４に示されるように、この第２分岐照射管１６０の垂直方向部位１６２の側壁に第２照射口ＯＰ２が形成されている。なお、この第２照射口ＯＰ２の形成間隔は、図４に示される通り、垂直方向部位１６２の下端側に向かうに従って広くなっている。なお、水蒸気等の吸着剤再生媒体が第２分岐照射管１６０を通過する際、一部の吸着剤再生媒体が第２照射口ＯＰ２から放出されることになる。
【００３９】
（７）中央密閉管
中央密閉管１７０は、上述の通り、第１分岐基部１３０の下端から下方に向かって延びる管であって、小径管１７１、大径管１７２および下端閉塞部品１７３から形成されている。小径管１７１は、第１分岐基部１３０の下端から下方に向かって延びている。大径管１７２は、小径管１７１の下端から延びている。なお、小径管１７１の内部通路と大径管１７２の内部通路は連通している。下端閉塞部品１７３は、大径管１７２の下端の開口を塞いでいる。なお、この中央密閉管１７０には、照射口は一切形成されていない。すなわち、この中央密閉管１７０の内部空間は密閉されている。そして、この中央密閉管１７０に過熱水蒸気等の加熱吸着剤再生媒体が流れると、中央密閉管１７０の側壁が加熱され、その熱が仕切板１９０へ伝達されることになる。
【００４０】
（８）分岐照射管支持板
分岐照射管支持板１８０は、図１および図２に示されるように、吸着剤再生媒体導入主管１２０の側壁から下斜め方向に向かって延びており、各第１分岐照射管１４０の上側に接合されている。すなわち、この分岐照射管支持板１８０は、第１分岐照射管１４０を支持する役目を担っている。なお、この分岐照射管支持板１８０は、熱伝導性の高い金属で形成されており、吸着剤再生媒体導入主管１２０から第１分岐照射管１４０に熱を伝達する役目も担っている。
【００４１】
（９）仕切板
仕切板１９０は、図１および図２に示されるように、中央密閉管１７０の大径管１７２の側壁から外方に向かって延びる縦板であって、容器本体１１０の中央部分の空間を５つに仕切っている。なお、この仕切板は、通常の平板であることが好ましいが、パンチングメタルのように複数の穴が形成されていてもかまわない。図１および図２に示されるようにこの仕切られた５つの空間には各々、第２分岐照射管１６０の垂直方向部位１６２が通っている。
【００４２】
（１０）被処理流体散布装置
被処理流体散布装置２００は、浄化対象水等の被処理流体を吸着剤に対して散布させる装置である。このような被処理流体散布装置２００としては、例えば、散水装置が挙げられる。この被処理流体散布装置２００は、被処理流体を吸着剤に対して散布させながら（被処理流体が水である場合、散水させながら）容器本体１１０に供給する。
【００４３】
＜流体浄化処理＞
水等の被処理流体が被処理流体散布装置２００により容器本体１１０の内部に供給されると、その被処理流体は、容器本体１１０に充填された活性炭等の吸着剤に接触しながら下方に流れていく。この際、吸着剤は、水等に含まれる有機溶剤や浮遊物等を捕捉し、被処理流体を浄化していく。そして、容器本体１１０の底部にまで達したとき、被処理流体は十分に浄化された状態となり、その後、底側垂直フランジ管部１１７を通って回収されるか使用される。
【００４４】
＜吸着剤再生処理＞
しばらくの間、流体浄化処理が継続されると吸着剤の浄化機能が低下してくる。そこで、以下に示す吸着剤再生処理が行われる。
【００４５】
過熱水蒸気等の吸着剤再生媒体が吸着剤再生媒体導入主管１２０を通して送られてくると、その吸着剤再生媒体は、第１分岐基部１３０、第１分岐照射管１４０、第２分岐基部１５０および第２分岐照射管１６０を流れ、第２分岐照射管１６０の下端の開口から容器本体１１０の下部空間に放出される。なお、この際、一部の吸着剤再生媒体は、第１分岐照射管１４０の第１照射口ＯＰ１および第２分岐照射管１６０の第２照射口ＯＰ２から容器本体１１０の内部空間に放出される。すなわち、この吸着剤塔１００では、吸着剤再生媒体は、容器本体１１０の内部空間全体に満遍なく放出される。そして、容器本体１１０の内部空間に放出された吸着剤再生媒体は、吸着剤に直接的に作用して吸着剤から有機溶剤等を蒸発させたり浮遊物を分解・気化させたりして吸着材を再生させる。なお、蒸発した有機溶剤や、浮遊物の分解気化物は、その後、吸着剤再生媒体と共に、底側垂直フランジ管部１１７を通って容器本体１１０の内部空間から排出される。
【００４６】
また、一部の吸着剤再生媒体は、中央密閉管１７０に流れる。吸着剤再生媒体が加熱されている場合、吸着剤再生媒体の熱の一部が中央密閉管１７０に奪われた後に仕切板１９０へと伝達される。すなわち、吸着剤再生媒体の熱により仕切板１９０が加熱されることになり、吸着剤の再生が促進される。
【００４７】
＜本発明の実施の形態に係る吸着剤塔の特徴＞
（１）
本発明の実施の形態に係る吸着剤塔１００では、容器本体１１０の空間の一部が仕切板１９０によって複数の空間に分割されており、その分割された複数の空間に第２分岐照射管１６０の垂直方向部位１６２が延びている。また、この第２分岐照射管１６０の垂直方向部位１６２には、複数の第２照射口ＯＰ２が形成されており、その間隔が垂直方向部位１６２の下端側に向かうに従って広くなるように設定されている。このため、この吸着剤塔１００では、容器本体の容量が大きくなっても、吸着剤再生媒体を比較的均一に吸着剤に到達させることができる。したがって、この吸着剤塔１００では、比較的均一に吸着剤の再生を行うことができる。
【００４８】
（２）
本発明の実施の形態に係る吸着剤塔１００では、第１分岐照射管１４０の水平方向部位１４１に形成される第１照射口ＯＰ１が斜め下方向の部位に形成されている。このため、この吸着剤塔１００では、上側に存在する吸着剤に対して直接的に吸着剤再生媒体を供給することができる。したがって、この吸着剤塔１００では、上側に存在する吸着剤を有効に再生することができる。
【００４９】
（３）
本発明の実施の形態に係る吸着剤塔１００では、第１分岐照射管１４０を支持するための分岐照射管支持板１８０が吸着剤再生媒体導入主管１２０の外周面から延びている。このため、この吸着剤塔１００では、第１分岐照射管１４０を強固に支えることができる。また、本発明の実施の形態において、この分岐照射管支持板１８０は、高熱伝導材料から形成されている。このため、吸着剤再生媒体導入主管１２０に奪われる熱を、分岐照射管支持板１８０を介して第１分岐照射管１４０へ伝達することができる。したがって、この吸着剤塔１００では、熱効率を高めることができる。
【００５０】
（４）
本発明の実施の形態に係る吸着剤塔１００では、下端が閉塞される中央密閉管１７０の側壁から仕切板１９０が外方に向かって延びている。このため、吸着剤塔１００では、中央密閉管１７０を介して仕切板１９０を熱することができる。したがって、この吸着剤塔１００では、吸着剤の加熱効率を向上させることができる。
【００５１】
＜変形例＞
（Ａ）
先の実施の形態に係る吸着剤塔１００には装着されていなかったが、流体が液体である場合、図５に示されるように容器本体１１０の底部１１３にガスノズル２１０を装着するようにしてもかまわない。なお、このガスノズル２１０は、液体浄化処理中に好適に使用される。液体浄化処理中にこのガスノズル２１０からガスが送られることにより、液中でバブリングが起こり、吸着剤の凝集を抑制することができる。
【００５２】
（Ｂ）
先の実施の形態では特に言及しなかったが、先の実施の形態に係る吸着剤塔１００が、図６に示されるような流体処理システム３００に組み込まれてもよい。この流体処理システム３００では、先の実施の形態に係る吸着剤塔１００に、被処理流体輸送管ＬＩＷ、主排出管ＬＯ、吸着剤再生媒体輸送管ＬＩＶおよび上側排出管ＬＯｖが接続されている。図６に示されるように、被処理流体輸送管ＬＩＷは吸着剤塔１００の被処理流体散布装置２００に接続されており、主排出管ＬＯは吸着剤塔１００の底側垂直フランジ管部１１７に接続されており、吸着剤再生媒体輸送管ＬＩＶは吸着剤塔１００の吸着剤再生媒体導入主管１２０に接続されており、上側排出管ＬＯｖは吸着剤塔１００の容器本体１１０の上部に接続されている。また、この流体処理システム３００では、主排出管ＬＯから分岐する分岐排出管ＬＯｂが設けられており、図６に示されるように、この分岐排出管ＬＯｂは上側排出管ＬＯｖに合流している。そして、図６に示されるように、上側排出管ＬＯｖには第１開閉弁Ｖｕが配設されており、分岐排出管ＬＯｂのうち、分岐排出管ＬＯｂの分岐点ＢＰから上側排出管ＬＯｖへの合流点ＭＰまでの間の部位に第２開閉弁Ｖｂが配設されており、主排出管ＬＯのうち分岐点ＢＰ以降の部位に第３開閉弁Ｖｌが配設されている。また、図６に示されるように、被処理流体輸送管ＬＩＷには、逆止弁Ｖｉが配設されている。なお、この逆止弁Ｖｉは、被処理流体の吸着剤塔１００への流れを許容し、その逆方向の流れを堰き止める。
【００５３】
以下、この流体処理システム３００における流体浄化処理時の被処理流体の流れおよび吸着剤再生処理時の吸着剤再生媒体の流れについて説明する。なお、ここで、流体浄化処理時には吸着剤再生処理は行われず、吸着剤再生処理時には流体浄化処理は行われない。
【００５４】
流体浄化処理時には、第１開閉弁Ｖｕおよび第２開閉弁Ｖｂが閉状態とされ、第３開閉弁Ｖｌが開状態とされる。この状態で、被処理流体は、被処理流体輸送管ＬＩＷを通って被処理流体散布装置２００に流入し、被処理流体散布装置２００によって、吸着剤塔１００の容器本体１１０に充填されている吸着剤に対して散布される。その後、被処理流体は容器本体１１０を移動しながら吸着剤により浄化され、容器本体１１０の底まで到達すると、底側垂直フランジ管部１１７に流入する。その後、その浄化された被処理流体は、主排出管ＬＯを通って目的の場所まで輸送される。
【００５５】
吸着剤再生処理時には、第３開閉弁Ｖｌが常に閉状態とされるが、第１開閉弁Ｖｕおよび第２開閉弁Ｖｂは次の通りに制御される。先ず、第１開閉弁Ｖｕが閉状態とされ、第２開閉弁Ｖｂが開状態とされる（以下、この状態を「下側吸着剤優先再生状態」と称する。）。そして、一定時間経過後に、第１開閉弁Ｖｕが開状態とされ、第２開閉弁Ｖｂが閉状態とされる（以下、この状態を「上側吸着剤優先再生状態」と称する。）。
【００５６】
下側吸着剤優先再生状態では、吸着剤再生媒体が吸着剤再生媒体輸送管ＬＩＶを通って吸着剤塔１００の吸着剤再生媒体導入主管１２０に流入する。吸着剤再生媒体導入主管１２０に流入した後の吸着剤再生媒体の流れは先の実施の形態に係る吸着剤再生処理時の流れと同様であるので、ここでは説明を省略する。そして、容器本体１１０の内部空間から底側垂直フランジ管部１１７を通って排出された吸着剤再生媒体は、分岐排出管ＬＯｂを通って系外に排出される。
【００５７】
一方、上側吸着剤優先再生状態では、吸着剤再生媒体が吸着剤再生媒体輸送管ＬＩＶを通って吸着剤塔１００の吸着剤再生媒体導入主管１２０に流入する。吸着剤再生媒体導入主管１２０に流入した後の吸着剤再生媒体の流れは先の実施の形態に係る吸着剤再生処理時の流れと同様であるので、ここでは説明を省略する。ただし、この状態では、第２開閉弁Ｖｂおよび第３開閉弁Ｖｌが閉状態とされており、第１開閉弁Ｖｕが開状態とされているため、容器本体１１０の内部空間の吸着剤再生媒体は、上側排出管ＬＯｖへと誘導される。上側排出管ＬＯｖへと誘導された吸着剤再生媒体は、上側排出管ＬＯｖおよび合流点ＭＰ以降の分岐排出管ＬＯｂを通って系外に排出される。
【００５８】
なお、上述の説明では、第１開閉弁Ｖｕおよび第２開閉弁Ｖｂは下側吸着剤優先再生状態とされた後に上側吸着剤優先再生状態とされたが、上側吸着剤優先再生状態とされた後に下側吸着剤優先再生状態とされてもよく、下側吸着剤優先再生状態と上側吸着剤優先再生状態が条件（例えば、一定時間経過等の条件）によって切り換わるようにしてもよい。
【００５９】
（Ｃ）
先の実施の形態に係る吸着剤塔１００では第１分岐基部１３０の山型部位１３１と半球形状部位１３２との接合箇所から第１分岐照射管１４０が水平方向に向かって延びているが、半球形状部位１３２から第１分岐照射管１４０が延びるようにしてもよい。このようにすれば、吸着剤再生媒体導入主管１２０から第１分岐照射管１４０へ向かう吸着剤再生媒体の流れをより良好なものとすることができる。
【００６０】
（Ｄ）
先の実施の形態に係る吸着剤塔１００では特に具体的に言及しなかったが、容器本体１１０に充填する吸着剤として粒状活性炭および針状活性炭の混合物を利用してもよい。活性炭間に隙間を形成することができ、延いては活性炭再生媒体の流れを良好なものとすることができるからである。なお、この混合物において、粒状活性炭の質量と針状活性炭との質量比は１：９〜９：１であることが好ましい。
【符号の説明】
【００６１】
１００      吸着剤塔（吸着剤再生器）
１１０      容器本体（容器）
１２０      吸着剤再生媒体導入主管（主管）
１３０      第１分岐基部（接続部位）
１３２      半球形状部位
１４０      第１分岐照射管（分岐管）
１４１      水平方向部位
１６０      第２分岐照射管（分岐管）
１６２      垂直方向部位（上下方向部位）
１７０      中央密閉管（延長管）
１８０      分岐照射管支持板（支持部）
１９０      仕切板
２１０      ガスノズル
ＬＯ        主排出管（下側排出管）
ＬＯｂ      分岐排出管（下側排出管）
ＬＯｖ      上側排出管
ＭＰ        合流点
ＯＰ１      第１照射口（第２貫通口）
ＯＰ２      第２照射口（第１貫通口）
Ｖｂ        第２開閉弁
Ｖｕ        第１開閉弁
【図１】
2019155302.tif 000003
【図２】
2019155302.tif 000004
【図３】
2019155302.tif 000005
【図４】
2019155302.tif 000006
【図５】
2019155302.tif 000007
【図６】
2019155302.tif 000008
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
筒状の胴部を有する容器と、
前記胴部の筒軸を中心として前記胴部の壁に向かって放射状に延び、前記容器の空間の一部を複数の空間に分割する仕切板と、
前記容器に挿通される主管と、
前記主管から分岐して前記複数の空間それぞれに延びる分岐管と
を備える、吸着剤再生器。
【請求項２】
前記分岐管は、上下方向に延びる上下方向部位を少なくとも１つ有し、
少なくとも１つの前記上下方向部位には、複数の第１貫通口が形成されており、
前記複数の第１貫通口の間隔は、前記分岐管の下端側に向かうに従って広くなっている
請求項１に記載の吸着剤再生器。
【請求項３】
前記分岐管は、水平方向に延びる水平方向部位を少なくとも１つ有し、
少なくとも１つの前記水平方向部位には、少なくとも一つの第２貫通口が形成されており、
前記第２貫通口は、斜め下方向の部位に形成されている
請求項１または２に記載の吸着剤再生器。
【請求項４】
前記主管の下方に延び、下端が閉塞される延長管をさらに備え、
前記仕切板は、前記延長管の側壁から外方に向かって延びている
請求項１から３のいずれか１項に記載の吸着剤再生器。
【請求項５】
前記分岐管は、接続部位を介して前記主管と接続され、
前記接続部位は、半球形状部位を含んでおり、
前記分岐管は、前記半球形状部位から延びている
請求項１から４のいずれか１項に記載の吸着剤再生器。
【請求項６】
前記容器の上部から延びる上側排出管と、
前記容器の下部から延びる下側排出管と
をさらに備え、
前記上側排出管は、前記下側排出管に合流しており、
前記上側排出管には、第１開閉弁が配設されており、
前記下側排出管のうち、前記上側排出管との合流点までの部位に第２開閉弁が配設されている
請求項１から５のいずれか１項に記載の吸着剤再生器。
【請求項７】
前記容器には、粒状活性炭と針状活性炭との混合物が充填されている
請求項１から６のいずれか１項に記載の吸着剤再生器。
【手続補正２】
【補正対象書類名】明細書
【補正対象項目名】全文
【補正方法】変更
【補正の内容】
【発明の詳細な説明】
【技術分野】
【０００１】
本発明は、活性炭等の吸着剤を再生することができる吸着剤再生器に関する。
【背景技術】
【０００２】
過去に「吸着剤が充填された容器に過熱水蒸気を供給して、その吸着剤に付着した有機化合物等を脱着させて吸着剤を再生する機能を有する吸着剤再生機能付きの水処理システム」が提案されている（例えば、特開２０１７−２０５６８４号公報参照）。なお、このような水処理システムは吸着剤再生器としても利用することができる。
【先行技術文献】
【特許文献】
【０００３】
【特許文献１】特開２０１７−２０５６８４号公報
【発明の概要】
【発明が解決しようとする課題】
【０００４】
ところで、近年、水処理量の増大に伴って、吸着剤充填容器の高容量化が求められている。しかし、従前の吸着剤充填容器には真ん中に１本の加熱水蒸気導入管が挿通されているだけであって、単純に吸着剤充填容器の容量を大きくすると過熱水蒸気が同容器の壁まで到達せず、同容器の壁側に存在する吸着剤の再生が十分でなくなるおそれがある。
【０００５】
本発明の課題は、容器の容量が比較的大きくなっても、比較的均一に吸着剤の再生を行うことができる吸着剤再生器を提供することである。
【課題を解決するための手段】
【０００６】
本発明の第１局面に係る吸着剤再生器は、容器、仕切板、主管および分岐管を備える。なお、この吸着剤再生器には、流体（液体および気体を含む。）に対して浄化処理等を施す構造が付加されていてもよく、かかる場合、この装置は、水処理システム、水処理装置としても機能することになる。）。容器は、筒状の胴部を有する。なお、この容器には、活性炭、ゼオライト、イオン交換樹脂等の吸着剤が充填される。仕切板は、胴部の筒軸を中心として胴部の壁に向かって放射状に延びる。なお、かかる場合、仕切板は筒軸から胴部の壁に向かって放射状に延びていてもよいし、筒軸から離れた位置から胴部の壁に向かって放射状に延びていてもよい。そして、この仕切板は、容器の空間の一部を複数の空間に分割する。主管は、容器に挿通されている。なお、この主管は、吸着剤再生媒体（過熱水蒸気や加熱気体等）を容器に導く役目を担っている。分岐管は、主管から分岐して、仕切板で分割された複数の空間それぞれに延びている。すなわち、この分岐管には吸着剤再生媒体が通る。
【０００７】
上述の通り、この吸着剤再生器では、容器の空間の一部が仕切板によって複数の空間に分割されており、その分割された複数の空間に分岐管が延びている。このため、この吸着剤再生器では、容器の容量が大きくなっても、過熱水蒸気等の吸着剤再生媒体を比較的均一に吸着剤に到達させることができる。したがって、この吸着剤再生器では、比較的均一に吸着剤の再生を行うことができる。
【０００８】
本発明の第２局面に係る吸着剤再生器は上述の第１局面に係る吸着剤再生器であって、分岐管は、上下方向に延びる上下方向部位を少なくとも１つ有する。少なくとも１つの上下方向部位には、複数の第１貫通口が形成されている。そして、複数の第１貫通口の間隔は、分岐管の下端側に向かうに従って広くなっている。
【０００９】
上述の通り、この吸着剤再生器では、分岐管の上下方向部位に形成される複数の第１貫通口の間隔が、分岐管の下端側に向かうに従って広くなっている。本願発明者らは、このように第１貫通口の間隔を設定したところ、第１貫通口を等間隔に設定するよりも、吸着剤に対して上下方向にも比較的均一に吸着剤再生媒体を供給することができることが明らかとなった。すなわち、この吸着剤再生器では、より均一に吸着剤の再生を行うことができる。
【００１０】
本発明の第３局面に係る吸着剤再生器は上述の第１局面または第２局面に係る吸着剤再生器であって、分岐管は、水平方向に延びる水平方向部位を少なくとも１つ有する。少なくとも１つの水平方向部位には、少なくとも一つの第２貫通口が形成されている。そして、第２貫通口は、斜め下方向の部位に形成されている。なお、この第２貫通口は、斜め下方向に向くように形成されるのが好ましい。
【００１１】
上述の通り、この吸着剤再生器では、分岐管の水平方向部位に形成される第２貫通口が斜め下方向の部位に形成されている。このため、この吸着剤再生器では、上側に存在する吸着剤に対して直接的に吸着剤再生媒体を供給することができる。したがって、この吸着剤再生器では、上側に存在する吸着剤を有効に再生することができる。
【００１２】
本発明の第４局面に係る吸着剤再生器は、上述の第１局面から第３局面のいずれか一つの局面に係る吸着剤再生器であって、延長管をさらに備える。延長管は、主管の下方に延びている。この延長管の下端は閉塞されている。そして、仕切板は、延長管の側壁から外方に向かって延びている。なお、延長管の側壁に貫通口を設けてもかまわないが、仕切板への伝熱を優先する場合や、できるだけ多くの吸着剤再生媒体を分岐管へ配分する場合は、延長管の側壁に貫通口を設けない方が好ましい。
【００１３】
上述の通り、この吸着剤再生器では、下端が閉塞される延長管の側壁から仕切板が外方に向かって延びている。このため、吸着剤再生器では、延長管を介して仕切板を熱することができる。したがって、この吸着剤再生器では、吸着剤の加熱効率を向上させることができる。
【００１４】
本発明の第５局面に係る吸着剤再生器は上述の第１局面から第４局面のいずれか一つの局面に係る吸着剤再生器であって、分岐管は、接続部位を介して主管と接続されている。接続部位は、半球形状部位を含んでいる。そして、分岐管は、半球形状部位から延びている。
【００１５】
上述の通り、この吸着剤再生器では、接続部位の半球形状部位から分岐管が延びている。このため、この吸着剤再生器では、主管から分岐管へ向かう吸着剤再生媒体の流れを良好なものとすることができる。
【００１６】
本発明の第６局面に係る吸着剤再生器は、上述の第１局面から第５局面のいずれか一つの局面に係る吸着剤再生器であって、上側排出管および下側排出管をさらに備える。上側排出管は、容器の上部から延びている。下側排出管は、容器の下部から延びている。そして、上側排出管は、下側排出管に合流している。また、上側排出管には、第１開閉弁が配設されている。下側排出管のうち、上側排出管との合流点までの部位に第２開閉弁が配設されている。
【００１７】
上述の通り、この吸着再生器では、上側排出管が下側排出管に合流しており、上側排出管に第１開閉弁が配設され、下側排出管のうち上側排出管との合流点までの部位に第２開閉弁が配設されている。このため、第１開閉弁を開とし、第２開閉弁を閉としたとき（以下、この状態を「第１開閉状態」という。）、分岐管から流れ出る吸着剤再生媒体を容器の上部に導くことができ、第１開閉弁を閉とし、第２開閉弁を開としたとき（以下、この状態を「第２開閉状態」という。）、分岐管から流れ出る吸着剤再生媒体を容器の下部に導くことができる。このため、この吸着再生器では、例えば、第１開閉状態と第２開閉状態を交互に切り換える等によって上部の吸着剤および下部の吸着剤を効率的に再生することができる。
【００１８】
本発明の第７局面に係る吸着剤再生器は上述の第１局面から第６局面のいずれか一つの局面に係る吸着剤再生器であって、容器には、粒状活性炭と針状（棒状）活性炭との混合物が充填されている。
【００１９】
上述の通り、この吸着剤再生器では、粒状活性炭と針状（棒状）活性炭との混合物が充填されている。このため、この吸着剤再生器では、活性炭間に隙間を形成することができ、延いては活性炭再生媒体の流れを良好なものとすることができる。したがって、この吸着剤再生器では、効率的に活性炭の再生処理を行うことができる。
【図面の簡単な説明】
【００２０】
【図１】本発明の実施の形態に係る吸着剤塔の概略構成を示す正面図である。なお、本図では、容器本体が切断された状態となっている。
【図２】本発明の実施の形態に係る吸着剤塔の概略構成を示す平面図である。なお、本図では、蓋部が外された状態となっている。
【図３】本発明の実施の形態に係る吸着剤塔の上部の拡大正面図である。なお、本図では、容器本体が切断された状態となっている。
【図４】本発明の実施の形態に係る吸着剤塔の第２分岐照射管の拡大正面図である。
【図５】変形例（Ａ）に係る吸着剤塔の下部の拡大正面図である。なお、本図では、容器本体が切断された状態となっている。
【図６】変形例（Ｂ）に係る水処理システムの簡易構成図である。なお、図中、実線矢印は被処理流体（例えば、浄化対象の水）の流れを示しており、破線矢印は吸着剤再生媒体（例えば、過熱水蒸気）の流れを示している。
【発明を実施するための形態】
【００２１】
本発明の実施の形態に係る吸着剤塔１００は、図１および図２に示されるように、主に、容器本体１１０、吸着剤再生媒体導入主管１２０、第１分岐基部１３０、第１分岐照射管１４０、第２分岐基部１５０、第２分岐照射管１６０、中央密閉管１７０、分岐照射管支持板１８０、仕切板１９０および被処理流体散布装置２００から成る。以下、これらの構成要素について詳述した後、この吸着剤塔を用いた流体浄化処理および吸着剤再生処理について詳述する。
【００２２】
（１）容器本体
容器本体１１０は、活性炭等の吸着剤を充填するものであって、図１に示されるように、主に、胴体部１１１、蓋部１１２、底部１１３、上側水平フランジ管部１１５、下側水平フランジ管部１１６、底側垂直フランジ管部１１７および本体支持部１１９から成っている。
【００２３】
胴体部１１１は、図１に示されるように、ステンレス合金等の金属で形成される円筒形の壁である。図１に示されるように、この胴体部１１１には、上述の上側水平フランジ管部１１５、下側水平フランジ管部１１６および本体支持部１１９が接合されている。
【００２４】
蓋部１１２は、図１に示されるように、ステンレス合金等の金属で形成されるドーム形の壁であって、胴体部１１１の上側を覆っている。図１に示されるように、この蓋部１１２の吸着剤再生媒体導入主管１２０および被処理流体散布装置２００が貫入されている。
【００２５】
底部１１３は、図１に示されるように、ステンレス合金等の金属で形成される逆ドーム形の壁であって、胴体部１１１の底側を覆っている。図１に示されるように、この底部１１３には、底側垂直フランジ管部１１７が接合されている。
【００２６】
上側水平フランジ管部１１５は、上述の通り、胴体部１１１の上側部位に接合されている。この上側水平フランジ管部１１５の内部通路は胴体部１１１の内部空間に連通している。なお、この上側水平フランジ管部１１５は、通常封止されているが、汚泥物の流入などによって吸着剤塔上部でその汚泥物が詰まる・硬化する等して、吸着剤が簡単に取り出せない状況となった場合等に開放される。そして、上側水平フランジ管部１１５が開放された状態で、作業担当者は、詰まりの原因を取り除いたり、下側水平フランジ管部１１６から吸着剤を取り出すことができるように上部の吸着剤に衝撃を与えて吸着剤を下に落としたりする。
【００２７】
下側水平フランジ管部１１６は、上述の通り、胴体部１１１の下側部位に接合されている。この下側水平フランジ管部１１６の内部通路は胴体部１１１の内部空間に連通している。なお、この下側水平フランジ管部１１６は、通常封止されているが、何らかのトラブルがあった際に開放され、吸着剤の取出し口として使用される。
【００２８】
底側垂直フランジ管部１１７は、上述の通り、底部１１３に接合されている。この底側垂直フランジ管部１１７の内部通路は、底部１１３の内部空間に連通している。
【００２９】
本体支持部１１９は、吸着剤塔１００を足場等に固定するための部位であって、図１に示されるように、胴体部１１１のうち、上側水平フランジ管部１１５と下側水平フランジ管部１１６との間の少し上側の部位に接合されている。
【００３０】
（２）吸着剤再生媒体導入主管
吸着剤再生媒体導入主管１２０は、過熱水蒸気等の吸着剤再生媒体を容器本体１１０の内部空間に導くためのものであって、図１に示される通り、蓋部１１２の中央に貫入されている。この吸着剤再生媒体導入主管１２０は、図１に示されるように上下方向に沿って延びている。
【００３１】
（３）第１分岐基部
第１分岐基部１３０は、吸着剤再生媒体導入主管１２０、第１分岐照射管１４０および中央密閉管１７０の接続・連通を媒介する部位であって、図１に示されるように、吸着剤再生媒体導入主管１２０の下端に配設されている。この第１分岐基部１３０の内部は空洞であり、吸着剤再生媒体導入主管１２０の内部通路と連通している。また、この第１分岐基部１３０は、図１に示されるように、上側の山型部位１３１と下側の半球形状部位１３２から形成されている。図１に示されるように、上側の山型部位１３１に吸着剤再生媒体導入主管１２０が接合されている。また、図１に示されるように、山型部位１３１と半球形状部位１３２との接合箇所から第１分岐照射管１４０が水平方向に向かって延びている。なお、第１分岐基部１３０の内部空間は第１分岐照射管１４０の内部通路と連通している。さらに、図１に示されるように、半球形状部位１３２の下端から下方に向かって中央密閉管１７０が延びている。後述する通り、中央密閉管１７０は小径管１７１、大径管１７２および下端閉塞部品１７３から形成されており（図１参照）、図１に示されるように、半球形状部位１３２には小径管１７１が接合されている（すなわち、大径管１７２は、小径管１７１を介して半球形状部位１３２に接合されている。）。また、第１分岐基部１３０の内部空間は中央密閉管１７０の内部通路と連通している。
【００３２】
（４）第１分岐照射管
第１分岐照射管１４０は、図１に示されるように、略鉤型の円筒管であって、主に、水平方向部位１４１、垂直方向部位１４２およびエルボー部位１４３から形成されている。水平方向部位１４１は、第１分岐基部１３０から水平方向に沿って延びている。垂直方向部位１４２は、エルボー部位１４３の先端から下方に向かって延びている。エルボー部位１４３は、円弧状の円筒管部分であって、水平方向部位１４１と垂直方向部位１４２との間に配設されている。なお、ここで、水平方向部位１４１、垂直方向部位１４２およびエルボー部位１４３は全て内部通路を有しており、これらの内部通路は全て連通している。なお、本実施の形態に係る吸着剤塔１００では、平面視において第１分岐照射管１４０は第１分岐基部１３０から放射状に５本延びており、隣り合う第１分岐照射管１４０同士は７２°の角度をなしている。図３に示されるように、この第１分岐照射管１４０の水平方向部位１４１の両側の斜め下方向の部位に第１照射口ＯＰ１が形成されている。なお、この第１照射口ＯＰ１は、図３に示される通り、等間隔に３つ形成されている。なお、水蒸気等の吸着剤再生媒体が第１分岐照射管１４０を通過する際、一部の吸着剤再生媒体が第１照射口ＯＰ１から放出されることになる。
【００３３】
（５）第２分岐基部
第２分岐基部１５０は、第１分岐照射管１４０および第２分岐照射管１６０の接続・連通を媒介する部位であって、図１に示されるように、第１分岐照射管１４０の垂直方向部位１４２の下端に配設されている。この第２分岐基部１５０の内部は空洞であり第１分岐照射管１４０および第２分岐照射管１６０の内部通路と連通している。また、この第２分岐基部１５０は、円筒形状を呈している。また、図１に示されるように、第２分岐基部１５０の側面から第２分岐照射管１６０が延びている。
【００３４】
（６）第２分岐照射管
第２分岐照射管１６０は、図１に示されるように略鉤型の円筒管であって、主に、水平方向部位１６１、垂直方向部位１６２およびエルボー部位１６３から形成されている。水平方向部位１６１は、第２分岐基部１５０から水平方向に沿って延びている。垂直方向部位１６２は、エルボー部位１６３の先端から下方に向かって延びている。エルボー部位１６３は、円弧状の円筒管部分であって、水平方向部位１６１と垂直方向部位１６２との間に配設されている。なお、ここで、水平方向部位１６１、垂直方向部位１６２およびエルボー部位１６３は全て内部通路を有しており、これらの内部通路は全て連通している。なお、本実施の形態に係る吸着剤塔１００では、平面視において第２分岐照射管１６０は第２分岐基部１５０から放射状に２本延びており、隣り合う第２分岐照射管１６０同士は１２０°の角度をなしている。図４に示されるように、この第２分岐照射管１６０の垂直方向部位１６２の側壁に第２照射口ＯＰ２が形成されている。なお、この第２照射口ＯＰ２の形成間隔は、図４に示される通り、垂直方向部位１６２の下端側に向かうに従って広くなっている。なお、水蒸気等の吸着剤再生媒体が第２分岐照射管１６０を通過する際、一部の吸着剤再生媒体が第２照射口ＯＰ２から放出されることになる。
【００３５】
（７）中央密閉管
中央密閉管１７０は、上述の通り、第１分岐基部１３０の下端から下方に向かって延びる管であって、小径管１７１、大径管１７２および下端閉塞部品１７３から形成されている。小径管１７１は、第１分岐基部１３０の下端から下方に向かって延びている。大径管１７２は、小径管１７１の下端から延びている。なお、小径管１７１の内部通路と大径管１７２の内部通路は連通している。下端閉塞部品１７３は、大径管１７２の下端の開口を塞いでいる。なお、この中央密閉管１７０には、照射口は一切形成されていない。すなわち、この中央密閉管１７０の内部空間は密閉されている。そして、この中央密閉管１７０に過熱水蒸気等の加熱吸着剤再生媒体が流れると、中央密閉管１７０の側壁が加熱され、その熱が仕切板１９０へ伝達されることになる。
【００３６】
（８）分岐照射管支持板
分岐照射管支持板１８０は、図１および図２に示されるように、吸着剤再生媒体導入主管１２０の側壁から下斜め方向に向かって延びており、各第１分岐照射管１４０の上側に接合されている。すなわち、この分岐照射管支持板１８０は、第１分岐照射管１４０を支持する役目を担っている。なお、この分岐照射管支持板１８０は、熱伝導性の高い金属で形成されており、吸着剤再生媒体導入主管１２０から第１分岐照射管１４０に熱を伝達する役目も担っている。
【００３７】
（９）仕切板
仕切板１９０は、図１および図２に示されるように、中央密閉管１７０の大径管１７２の側壁から外方に向かって延びる縦板であって、容器本体１１０の中央部分の空間を５つに仕切っている。なお、この仕切板は、通常の平板であることが好ましいが、パンチングメタルのように複数の穴が形成されていてもかまわない。図１および図２に示されるようにこの仕切られた５つの空間には各々、第２分岐照射管１６０の垂直方向部位１６２が通っている。
【００３８】
（１０）被処理流体散布装置
被処理流体散布装置２００は、浄化対象水等の被処理流体を吸着剤に対して散布させる装置である。このような被処理流体散布装置２００としては、例えば、散水装置が挙げられる。この被処理流体散布装置２００は、被処理流体を吸着剤に対して散布させながら（被処理流体が水である場合、散水させながら）容器本体１１０に供給する。
【００３９】
＜流体浄化処理＞
水等の被処理流体が被処理流体散布装置２００により容器本体１１０の内部に供給されると、その被処理流体は、容器本体１１０に充填された活性炭等の吸着剤に接触しながら下方に流れていく。この際、吸着剤は、水等に含まれる有機溶剤や浮遊物等を捕捉し、被処理流体を浄化していく。そして、容器本体１１０の底部にまで達したとき、被処理流体は十分に浄化された状態となり、その後、底側垂直フランジ管部１１７を通って回収されるか使用される。
【００４０】
＜吸着剤再生処理＞
しばらくの間、流体浄化処理が継続されると吸着剤の浄化機能が低下してくる。そこで、以下に示す吸着剤再生処理が行われる。
【００４１】
過熱水蒸気等の吸着剤再生媒体が吸着剤再生媒体導入主管１２０を通して送られてくると、その吸着剤再生媒体は、第１分岐基部１３０、第１分岐照射管１４０、第２分岐基部１５０および第２分岐照射管１６０を流れ、第２分岐照射管１６０の下端の開口から容器本体１１０の下部空間に放出される。なお、この際、一部の吸着剤再生媒体は、第１分岐照射管１４０の第１照射口ＯＰ１および第２分岐照射管１６０の第２照射口ＯＰ２から容器本体１１０の内部空間に放出される。すなわち、この吸着剤塔１００では、吸着剤再生媒体は、容器本体１１０の内部空間全体に満遍なく放出される。そして、容器本体１１０の内部空間に放出された吸着剤再生媒体は、吸着剤に直接的に作用して吸着剤から有機溶剤等を蒸発させたり浮遊物を分解・気化させたりして吸着材を再生させる。なお、蒸発した有機溶剤や、浮遊物の分解気化物は、その後、吸着剤再生媒体と共に、底側垂直フランジ管部１１７を通って容器本体１１０の内部空間から排出される。
【００４２】
また、一部の吸着剤再生媒体は、中央密閉管１７０に流れる。吸着剤再生媒体が加熱されている場合、吸着剤再生媒体の熱の一部が中央密閉管１７０に奪われた後に仕切板１９０へと伝達される。すなわち、吸着剤再生媒体の熱により仕切板１９０が加熱されることになり、吸着剤の再生が促進される。
【００４３】
＜本発明の実施の形態に係る吸着剤塔の特徴＞
（１）
本発明の実施の形態に係る吸着剤塔１００では、容器本体１１０の空間の一部が仕切板１９０によって複数の空間に分割されており、その分割された複数の空間に第２分岐照射管１６０の垂直方向部位１６２が延びている。また、この第２分岐照射管１６０の垂直方向部位１６２には、複数の第２照射口ＯＰ２が形成されており、その間隔が垂直方向部位１６２の下端側に向かうに従って広くなるように設定されている。このため、この吸着剤塔１００では、容器本体の容量が大きくなっても、吸着剤再生媒体を比較的均一に吸着剤に到達させることができる。したがって、この吸着剤塔１００では、比較的均一に吸着剤の再生を行うことができる。
【００４４】
（２）
本発明の実施の形態に係る吸着剤塔１００では、第１分岐照射管１４０の水平方向部位１４１に形成される第１照射口ＯＰ１が斜め下方向の部位に形成されている。このため、この吸着剤塔１００では、上側に存在する吸着剤に対して直接的に吸着剤再生媒体を供給することができる。したがって、この吸着剤塔１００では、上側に存在する吸着剤を有効に再生することができる。
【００４５】
（３）
本発明の実施の形態に係る吸着剤塔１００では、第１分岐照射管１４０を支持するための分岐照射管支持板１８０が吸着剤再生媒体導入主管１２０の外周面から延びている。このため、この吸着剤塔１００では、第１分岐照射管１４０を強固に支えることができる。また、本発明の実施の形態において、この分岐照射管支持板１８０は、高熱伝導材料から形成されている。このため、吸着剤再生媒体導入主管１２０に奪われる熱を、分岐照射管支持板１８０を介して第１分岐照射管１４０へ伝達することができる。したがって、この吸着剤塔１００では、熱効率を高めることができる。
【００４６】
（４）
本発明の実施の形態に係る吸着剤塔１００では、下端が閉塞される中央密閉管１７０の側壁から仕切板１９０が外方に向かって延びている。このため、吸着剤塔１００では、中央密閉管１７０を介して仕切板１９０を熱することができる。したがって、この吸着剤塔１００では、吸着剤の加熱効率を向上させることができる。
【００４７】
＜変形例＞
（Ａ）
先の実施の形態に係る吸着剤塔１００には装着されていなかったが、流体が液体である場合、図５に示されるように容器本体１１０の底部１１３にガスノズル２１０を装着するようにしてもかまわない。なお、このガスノズル２１０は、液体浄化処理中に好適に使用される。液体浄化処理中にこのガスノズル２１０からガスが送られることにより、液中でバブリングが起こり、吸着剤の凝集を抑制することができる。
【００４８】
（Ｂ）
先の実施の形態では特に言及しなかったが、先の実施の形態に係る吸着剤塔１００が、図６に示されるような流体処理システム３００に組み込まれてもよい。この流体処理システム３００では、先の実施の形態に係る吸着剤塔１００に、被処理流体輸送管ＬＩＷ、主排出管ＬＯ、吸着剤再生媒体輸送管ＬＩＶおよび上側排出管ＬＯｖが接続されている。図６に示されるように、被処理流体輸送管ＬＩＷは吸着剤塔１００の被処理流体散布装置２００に接続されており、主排出管ＬＯは吸着剤塔１００の底側垂直フランジ管部１１７に接続されており、吸着剤再生媒体輸送管ＬＩＶは吸着剤塔１００の吸着剤再生媒体導入主管１２０に接続されており、上側排出管ＬＯｖは吸着剤塔１００の容器本体１１０の上部に接続されている。また、この流体処理システム３００では、主排出管ＬＯから分岐する分岐排出管ＬＯｂが設けられており、図６に示されるように、この分岐排出管ＬＯｂは上側排出管ＬＯｖに合流している。そして、図６に示されるように、上側排出管ＬＯｖには第１開閉弁Ｖｕが配設されており、分岐排出管ＬＯｂのうち、分岐排出管ＬＯｂの分岐点ＢＰから上側排出管ＬＯｖへの合流点ＭＰまでの間の部位に第２開閉弁Ｖｂが配設されており、主排出管ＬＯのうち分岐点ＢＰ以降の部位に第３開閉弁Ｖｌが配設されている。また、図６に示されるように、被処理流体輸送管ＬＩＷには、逆止弁Ｖｉが配設されている。なお、この逆止弁Ｖｉは、被処理流体の吸着剤塔１００への流れを許容し、その逆方向の流れを堰き止める。
【００４９】
以下、この流体処理システム３００における流体浄化処理時の被処理流体の流れおよび吸着剤再生処理時の吸着剤再生媒体の流れについて説明する。なお、ここで、流体浄化処理時には吸着剤再生処理は行われず、吸着剤再生処理時には流体浄化処理は行われない。
【００５０】
流体浄化処理時には、第１開閉弁Ｖｕおよび第２開閉弁Ｖｂが閉状態とされ、第３開閉弁Ｖｌが開状態とされる。この状態で、被処理流体は、被処理流体輸送管ＬＩＷを通って被処理流体散布装置２００に流入し、被処理流体散布装置２００によって、吸着剤塔１００の容器本体１１０に充填されている吸着剤に対して散布される。その後、被処理流体は容器本体１１０を移動しながら吸着剤により浄化され、容器本体１１０の底まで到達すると、底側垂直フランジ管部１１７に流入する。その後、その浄化された被処理流体は、主排出管ＬＯを通って目的の場所まで輸送される。
【００５１】
吸着剤再生処理時には、第３開閉弁Ｖｌが常に閉状態とされるが、第１開閉弁Ｖｕおよび第２開閉弁Ｖｂは次の通りに制御される。先ず、第１開閉弁Ｖｕが閉状態とされ、第２開閉弁Ｖｂが開状態とされる（以下、この状態を「下側吸着剤優先再生状態」と称する。）。そして、一定時間経過後に、第１開閉弁Ｖｕが開状態とされ、第２開閉弁Ｖｂが閉状態とされる（以下、この状態を「上側吸着剤優先再生状態」と称する。）。
【００５２】
下側吸着剤優先再生状態では、吸着剤再生媒体が吸着剤再生媒体輸送管ＬＩＶを通って吸着剤塔１００の吸着剤再生媒体導入主管１２０に流入する。吸着剤再生媒体導入主管１２０に流入した後の吸着剤再生媒体の流れは先の実施の形態に係る吸着剤再生処理時の流れと同様であるので、ここでは説明を省略する。そして、容器本体１１０の内部空間から底側垂直フランジ管部１１７を通って排出された吸着剤再生媒体は、分岐排出管ＬＯｂを通って系外に排出される。
【００５３】
一方、上側吸着剤優先再生状態では、吸着剤再生媒体が吸着剤再生媒体輸送管ＬＩＶを通って吸着剤塔１００の吸着剤再生媒体導入主管１２０に流入する。吸着剤再生媒体導入主管１２０に流入した後の吸着剤再生媒体の流れは先の実施の形態に係る吸着剤再生処理時の流れと同様であるので、ここでは説明を省略する。ただし、この状態では、第２開閉弁Ｖｂおよび第３開閉弁Ｖｌが閉状態とされており、第１開閉弁Ｖｕが開状態とされているため、容器本体１１０の内部空間の吸着剤再生媒体は、上側排出管ＬＯｖへと誘導される。上側排出管ＬＯｖへと誘導された吸着剤再生媒体は、上側排出管ＬＯｖおよび合流点ＭＰ以降の分岐排出管ＬＯｂを通って系外に排出される。
【００５４】
なお、上述の説明では、第１開閉弁Ｖｕおよび第２開閉弁Ｖｂは下側吸着剤優先再生状態とされた後に上側吸着剤優先再生状態とされたが、上側吸着剤優先再生状態とされた後に下側吸着剤優先再生状態とされてもよく、下側吸着剤優先再生状態と上側吸着剤優先再生状態が条件（例えば、一定時間経過等の条件）によって切り換わるようにしてもよい。
【００５５】
（Ｃ）
先の実施の形態に係る吸着剤塔１００では第１分岐基部１３０の山型部位１３１と半球形状部位１３２との接合箇所から第１分岐照射管１４０が水平方向に向かって延びているが、半球形状部位１３２から第１分岐照射管１４０が延びるようにしてもよい。このようにすれば、吸着剤再生媒体導入主管１２０から第１分岐照射管１４０へ向かう吸着剤再生媒体の流れをより良好なものとすることができる。
【００５６】
（Ｄ）
先の実施の形態に係る吸着剤塔１００では特に具体的に言及しなかったが、容器本体１１０に充填する吸着剤として粒状活性炭および針状活性炭の混合物を利用してもよい。活性炭間に隙間を形成することができ、延いては活性炭再生媒体の流れを良好なものとすることができるからである。なお、この混合物において、粒状活性炭の質量と針状活性炭との質量比は１：９〜９：１であることが好ましい。
【符号の説明】
【００５７】
１００      吸着剤塔（吸着剤再生器）
１１０      容器本体（容器）
１２０      吸着剤再生媒体導入主管（主管）
１３０      第１分岐基部（接続部位）
１３２      半球形状部位
１４０      第１分岐照射管（分岐管）
１４１      水平方向部位
１６０      第２分岐照射管（分岐管）
１６２      垂直方向部位（上下方向部位）
１７０      中央密閉管（延長管）
１８０      分岐照射管支持板（支持部）
１９０      仕切板
２１０      ガスノズル
ＬＯ        主排出管（下側排出管）
ＬＯｂ      分岐排出管（下側排出管）
ＬＯｖ      上側排出管
ＭＰ        合流点
ＯＰ１      第１照射口（第２貫通口）
ＯＰ２      第２照射口（第１貫通口）
Ｖｂ        第２開閉弁
Ｖｕ        第１開閉弁